(57)【要約】      （修正有）【課題】ネックウォーマーに更なる機能を付加し、デザイン性を持って、多目的に使用することができる実用価値の高い多機能性チューブ状複合体を提供する。【解決手段】筒状に縫製された数種の帯体を連結したスヌード状織物品であって、一重の状態に帯体を筒状に縫製されたものを、各色違いの円筒帯体の縁同士を縫い合わせた前記スヌード状織物品が、５〜１５体を色違いにして全体の幅を１５０〜１０００ｍｍ、円筒状の全円周長さ５００〜２０００ｍｍになっている。【選択図】図１
0003192937.tif 000002
【実用新案登録請求の範囲】
【請求項１】
短冊状の布端を縫い合わせた輪状帯体に縫製したものを、チューブ状に縫製されたスヌード状織物品であって、幅２５〜８０ｍｍの一本の繊維輪状帯体を、３〜１５体を色違いにして全体の幅を５０〜１０００ｍｍ、チューブ状の全円周長さ１５０〜２０００ｍｍになっていることを特徴とする多機能性チューブ状複合体。
【請求項２】
色違い輪状帯体をチューブ状に連結したスヌード状織物品であって、輪状帯体の縫い合わせの箇所が目立たなくなり、デザイン性、強度性、保温性を高めるために、その輪状帯体の縫い合わせの箇所を同一箇所にならないように筒状に繋ぎ合わせることを特徴とする請求項１に記載の多機能性チューブ状複合体。
【請求項３】
チューブ状複合体は、襟巻としても、ヘアバンド或いはイヤウォーマーとしても、帽子としても、子供抱っこ帯としても、ネックウォーマー、レッグウォーマー、リストバンド、アームカバー、腹巻としても使用することができる多機能なチューブ状複合体であって、上下が開口された全長に渡って略同一の径を有するチューブ状体を有し、該チューブ状体の開口を一重、或は二重にして使用できて、筒状体の開口径の大きさを種々変更できるように構成されていることを特徴とする請求項１、又は請求項２に記載の多機能性チューブ状複合体。
【考案の詳細な説明】
【技術分野】
【０００１】本考案は、人の頭部と首と腕と足と腹部に用いる保温用の衣料品に関して、多機能状筒状複合帯体に関し、更に詳しくは、襟巻や擬似襟としても、ヘアバンドやイヤウォーマー、レッグウォーマー、リストバンド、アームカバー、腹巻子供抱っこ紐としても、帽子としても使用することができる多目的な多機能性筒状複合帯体に関する。
【背景技術】
【０００２】従来より用いられている保温性に優れる材料からなる長尺の襟巻（以下、マフラーと呼ぶ）に代えて、着脱自在な襟としても機能する保温性に優れる材料からなる筒状の襟巻が開発され、使用され始めている。ネックウォーマーなど多機能性筒状複合帯体は、従来のマフラーと同様に襟元の保温性を確保するという機能的な役割を担うと同時に、種々の材料のものやデザインのものが作られるようになるにつれて、衣装に付随する重要な装飾品としても注目されてきている。【０００３】従来の保温用衣料品では、頭部用では帽子やイヤーバンドがあり、首用ではマフラーがある。これらは、それぞれ単独の用途をもち、帽子がイヤーバンドになったり、マフラーになることはなかった（非特許文献１参照）。
したがって、本当に寒い日には帽子もマフラーも用いて、厳重に耐寒装備すればよいのであるが、さほど寒くもなく、かといって保温が全く不要といえない気温のときは、どの保温具を持つか迷うときもある。また、沢山の保温具を持てば嵩張るだけでスマートに見えない、というファッション上の抵抗感もある。【０００４】三つの使い方ができ、嵩張ることもなくスマートに見える保温用衣料品を提供するもので、筒状に編み上げられた伸縮性のある編織り物品であって、幅が１５〜２０ｃｍ、長さが２０〜２５ｃｍである。一重の状態で筒状に編み上げられたものを、さらに二重に折り返して端縁同士を縫い合わせて作られている。
そのままの状態では、頭に被せて帽子として使用でき、さらに二重に折り返して首に入れるとネックウォーマーになり、頭に被せ耳を覆うようにするとイヤーバンドになるものを提供されている（特許文献１参照）。【０００５】襟巻或いは擬似襟としても、ヘアバンド或いはイヤウォーマーとしても、帽子としても使用することができる多目的なネックウォーマーであって、上下が開口された全長に渡って略同一の径を有する筒状の本体を有し、少なくとも開口部方向への伸縮性を有する材料からなり、該筒状の本体の少なくとも一方の輪状の開口端の近傍に、該開口端の全周に沿って連続したゴム紐状の部材が移動可能な状態に設けられており、筒状の本体の開口径の大きさを維持でき、且つ該紐状部材によって輪状の開口端の口径を小さくすることができるように構成されているネックウォーマーが提案されている（特許文献２参照）。【０００６】筒状に編み上げられた伸縮性のある編物品であって、一重の状態で筒状に編み上げられた筒状品を、二重に折り返して端縁同士を縫い合わせたものであり、折り返したときに形成される内側の筒状部と外側の筒状部が、その中心軸周りに互いにねじれた状態となるように端縁同士を縫い合わせている。頭部や首にも被せることができるから、帽子やイヤーバンド、ネックウォーマーとして使用するができる。縫合した端部を広げると折り返された端部がすぼまった状態となるから、縫合した端部側から頭に被ると、上部の開口が小さくなるので、保温性が向上するものが提案されている（特許文献３参照）。【０００７】首部と共に顔部の防寒も可能な、ネックウォーマー付き兼用マフラーを提供することで、マフラーの中央部をフリース布地で製作したネックウォーマーと結合させ、ネックウォーマー部を被り、マフラーを顔に固定し、顔と首の両方をしっかりと防寒できるようにする。さらにネックウォーマー部には、サイズ調整のためコードストッパを付設するものが提案されている。
【先行技術文献】
【特許文献】
【０００８】
【特許文献１】実用新案登録第３１０５９７８号
【特許文献２】実用新案登録第３１０５２７１号
【特許文献３】実用新案登録第３１３９１２６号
【特許文献４】実用新案登録第３１５０４２２号
【考案の概要】
【考案が解決しようとする課題】
【０００９】本考案の目的は、上記した多機能性筒状複合帯体のネックウォーマーに更なる機能を付加し、多目的な用途に使用することができる実用価値の高い製品を提供することにある。本考案は上記事情に鑑み、帽子とイヤーバンドとマフラーと子供抱っこ帯の種々の使い方ができ、嵩張ることもなくスマートに見える保温用衣料品を提供することを目的とする。また、筒状複合帯体の縫い合わせ箇所を一定にして、それによってデザイン性も考慮せずに、さらに強度を高めることもなされていないのが、現状である。【００１０】本考案は、多機能性筒状複合帯体であるスヌード及びネックウォーマーを主体的にしてデザイン性を高めて、しかも色彩と強度を増して、さらに複数の使い方もできるようにして、嵩張ることもなくスマートに見える首回りの多用途衣料品を提供することを目的とする。
【課題を解決するための手段】
【００１１】筒状に縫製された数種の色違い帯体を連結したスヌード状にした織物品であって、一重の状態に帯体を筒状に縫製されたものを、各色違いの円筒帯体の縁同士を縫い合わせた前記スヌード状織物品が、幅２５〜８０ｍｍの一本の繊維筒状帯体を、５〜１５体を色違いにして全体の幅を５０〜１０００ｍｍ、円筒状の全円周長さ５００〜２０００ｍｍになっている多機能性筒状複合帯体である。【００１２】筒状に縫製された帯体を連結したスヌード状織物品であって、強度性、デザイン性、保温性を高めるために、全体で各円筒部の一重の状態で筒状に縫製された筒状品の各帯体の縁同士を縫い合わせたものであり、形成される一つの筒状部と他の筒状部との縁同志を、互いに筒状の端部同志を縫い合わせている該スヌース織物品は、単一の短冊状のものを縫い合わせて円筒状にして、その筒状の縫い合わせの箇所の縫い目を同一箇所にせずに、縫い目の箇所を全体の筒の円周で均等的間隔に同位置にならない様にづらしながら接合して配置される。【００１３】筒状体は、襟巻としても、ヘアバンド或いはイヤウォーマーとしても、帽子としても、子供抱っこ帯としても、ネックウォーマー、レッグウォーマー、リストバンド、アームカバー、腹巻としても使用することができる多機能なネックウォーマーであって、上下が開口された全長に渡って略同一の径を有する筒状体を有し、開口部方向への伸縮性を有する筒状帯体であって、且つ、該筒状体の輪状開口を一重、又は二重、又は三重にして使用できて、筒状体の開口径の大きさを種々変更できるように構成されている。【００１４】前記伸縮性を有する筒状複合帯体が、綿繊維、化学繊維などの織物であって、該スヌード状織物品が、輪状の表編みからなる略同一の幅を有する数種の筒状帯体と、輪状の綿織りからなる略同一の幅を有するパターンを、５〜１５パターンを有する層帯模様の筒状の繊維織物であって、且つ、上記各層の３〜１５数の帯体からなる筒状体になっている。【００１５】又、本考案としては、上記構成において、前記伸縮性を有する材料が、綿繊維、化学繊維の製品の絣状、帯状製品であるものが挙げられる。特にこの場合には、本体の一方の輪状の開口端が縫合されて筒状帯体が形成されており、各筒状帯体の両縁部色違いにして長さ引き出された状態にする。更には、上記したいずれかの構成において、各筒状帯体の一部に、輪状の開口端の口径を変更できるようにして、輪の大きさを大小にした状態で保持することができる多用途ネックウォーマーが挙げられる。
【考案の効果】
【００１６】以上のように本考案によれば、従来の多機能性筒状複合帯体を、ネックウォーマーとしても、襟巻或いは擬似襟としても、ヘアバンド或いはイヤウォーマー、レッグウォーマー、リストバンド、アームカバー、腹巻としても、更には子供抱っこ帯、帽子としても使用することができる多目的な用途に使用できる製品とすることができ、その実用価値を格段に向上させた製品とすることができる。【００１７】ある程度の伸縮性がある故に、幅が人体の頭部にも首にも入る大きさであるので、頭部にも被せ、首にも被せることができ、しかも長さは二つ折りにすれば丁度首に巻いたり、耳覆いに使え、伸ばしたままだと頭にのせて帽子として使うことができる。子供抱っこ帯と帽子とイヤーバンドとネックウォーマー、レッグウォーマー、リストバンド、アームカバー、腹巻の使い方ができる。【００１８】幅が頭に被せたり、首に入れるのに最適の寸法で、大人なら男女兼用の保温用衣料品として使用することができる。二重の筒になっているので、保温性が高くなる。【００１９】考案によれば、筒状の縫い合わせの箇所の縫い目を同一箇所にせずに、縫い目の箇所を全体の筒の円周で均等的間隔に配置されるので、引っ張り強度も強く、内側の筒状部と外側の筒状部がその中心軸周りに互いにねじれた状態でも、幼児抱っこ帯として、縫合した端部側から頭に被ると、上部の開口が小さくなって、保温性幼児抱っこ帯になる。【００２０】また、上部の開口を広げることができるので、頭部や首にも被せることができ、頭に被せてもきつすぎず、首に入れても緩すぎない。よって、帽子やイヤーバンド、ネックウォーマー、レッグウォーマー、リストバンド、アームカバー、腹巻として使用することができる。幅が頭に被せたり、首に入れるのに最適の寸法で、大人なら男女兼用で使用することができる。
【図面の簡単な説明】
【００２１】
【図１】本考案の多機能性筒状複合帯体、ネックウォーマーの一例の概略斜視図である。Ａ：スヌード型の大型品  Ｂ：ネックウォーマー型の小型品
【図２】多機能性筒状複合帯体、ネックウォーマーの縫製方法を示す概略図である。Ａ：帯体  Ｂ：リンク体  Ｃ：チューブ体  Ｄ：完成品
【図３】多機能性筒状複合帯体、ネックウォーマーの使用状態を示す概略斜視図である。Ａ：多機能性筒状複合帯体、ネックウォーマーの一重使用、Ｂ：帽子
【図４】本考案の多機能性筒状複合帯体、ネックウォーマーの別の例として子供抱っこ帯の使用状態概略斜視図である。
【図５】本考案の多機能性筒状複合帯体ネックウォーマーを別の例として帽子の使用概略斜視図である。Ａ：多機能性筒状複合帯体、ネックウォーマーとしての概略斜視図、Ｂ：イヤーパッド、Ｃ：帽子としての概略斜視図
【図６】従来品の状態図
【考案を実施するための形態】
【００２２】次に、考案を実施するための最良の形態を挙げて、本考案を更に詳細に説明する。本考案は、ネックウォーマーを作製する場合に、柔軟性があり、特に、少なくとも開口部方向に対して適度の伸縮性が確保された材料で、高さが２５ｃｍ程度の同一径を有する筒状のものを作り、該筒状の製品の一方の開口端の周辺に紐を通し、該紐を引っ張ることで開口端を絞って開口径を小さくできるように構成すれば、ネックウォーマーとしての使用に加えて、ヘアバンド或いはイヤーウォーマーとしても、更には帽子としても使用することができる多目的な製品が得られることを見いだした。
【００２３】以下、添付図面を参照して本考案を更に詳細に説明する。図１は、本考案のネックウォーマーの使用状態を示した概略斜視図である。図２は、ネックウォーマーの縫製方法を示す概略図である。図３は、ネックウォーマーの使用状態を示す概略斜視図である。（Ａ：ネックウォーマー、Ｂ：一重使用、Ｃ：二重使用、Ｄ：帽子）。図４は、本考案のネックウォーマーの別の例の子供抱っこ帯の使用状態概略斜視図である様子を示す。
【実施例１】
【００２４】図１Ａに示すように、ネックウォーマーは筒状に縫製された伸縮性のある１０色の絣の帯体を連結したスヌード状織物品であって、図２のように一重の状態に帯体を筒状に縫製されたものを、各１０色の円筒帯体の縁同士を縫い合わせた前記織物品が、幅５５ｍｍの一本の綿製筒状帯体を、１０体を色違いにして全体の幅を５００ｍｍ、円筒の長さ１０００ｍｍのネックウォーマーにした。【００２５】筒状に縫製された伸縮性のある数種の帯体を連結した織物品であって、該織物品は、一重の状態で筒状に縫製された筒状品を、図２のように１０本の各帯体の縁同士を縫い合わせたものであり、形成される一つの筒状部と他の筒状部との縁同志を、互いに筒状状態で縫い合わせた。【００２６】多機能性筒状複合帯体は、図３に示すようにネックウォーマーに使用することで、多機能なネックウォーマーであって、上下が開口された全長に渡って略同一の径を有する筒状体を有し、開口部方向への伸縮性を有する筒状帯体であって、且つ、該筒状体の輪状開口を二重にして使用できて、筒状体の開口径の大きさを種々変更できるように構成されている。【００２７】前記筒状帯体が、綿のからくり織の織物であって、該織物品が、輪状の表編みからなる略同一の幅を有する数種の筒状帯体と、輪状の綿織りからなる略同一の幅を有するパターンを、５パターンを有する層帯模様の筒状の織物であって、且つ、上記各層の１０数の帯体からなる筒状体になった。
【実施例２】
【００２８】図１Ｂに示すように、帽子は筒状に縫製された伸縮性のある５種の色違い綿製帯体を連結した織物品であって、図２のように一重の状態に帯体を筒状に縫製されたものを、各色違いの円筒帯体の縁同士を縫い合わせた前記織物品が、幅４０ｍｍの一本の綿製筒状帯体を、５体を色違いにして全体の幅を２００ｍｍ、円筒の長さ７５０ｍｍにしている。【００２９】筒状の帯体を連結した織物品であって、該織物品は、一重の状態で筒状に縫製された筒状品を、各帯体の縁同士を縫い合わせたものであり、形成される一つの筒状部と他の筒状部との縁同志を、互いに筒状状態で縫い合わせている。【００３０】多機能性筒状複合帯体は、図５に示したように帽子として上下が開口された全長に渡って略同一の径を有する筒状体を有し、開口部方向への伸縮性を有する筒状帯体であって、且つ、該筒状体の輪状開口を使用できて、筒状体の開口径の大きさを種々変更できるように構成された。【００３１】前記伸縮性を有する筒状帯体が、綿の織物であって、該織物品が、輪状の表編みからなる略同一の幅を有する数種の筒状帯体と、輪状の綿織りからなる略同一の幅を有するパターンを、５パターンを有する層帯模様の筒状の織物であって、且つ、上記各層の５数の帯体からなる筒状体になった。
【実施例３】
【００３２】図４に示すように、子供抱っこ帯は筒状に縫製された伸縮性のある数種の帯体を連結した織物品であって、一重の状態に帯体を筒状に縫製されたものを、各色違いの円筒帯体の縁同士を縫い合わせた前記織物品が、幅５５ｍｍの一本の綿製筒状帯体を、１０体を色違いにして全体の幅を５００ｍｍ、円筒の長さ１７５０ｍｍにした。【００３３】筒状に縫製された伸縮性のある数種の帯体を連結した織物品であって、該織物品は、一重の状態で筒状に縫製された筒状品を、各帯体の縁同士を縫い合わせたものであり、形成される一つの筒状部と他の筒状部との縁同志を、互いに筒状状態で縫い合わせている。【００３４】筒状体は、子供抱っこ帯として使用することができる多機能なネックウォーマーであって、上下が開口された全長に渡って略同一の径を有する筒状体を有し、開口部方向への伸縮性を有する筒状帯体であって、且つ、該筒状体の輪状開口を使用できて、筒状体の開口径の大きさを種々変更できるように構成されている。【００３５】前記伸縮性を有する筒状帯体が、綿の織物であって、該織物品が、輪状の表編みからなる略同一の幅を有する数種の筒状帯体と、輪状の綿織りからなる略同一の幅を有するパターンを、６パターンを有する層帯模様の筒状の織物であって、且つ、上記各層の１２数の帯体からなる筒状体になっている。
【産業上の利用可能性】
【００３６】以上の如き本考案によれば、従来のネックウォーマーを、襟巻或いは擬似襟としても、ヘアバンド或いはイヤウォーマーとしても、更には帽子、レッグウォーマー、リストバンド、アームカバー、腹巻としても使用することができる多目的な、実用価値が格段に向上された製品が提供される。又、本考案によれば、多様な材料で容易に作成できるため、デザイン性及び経済性に優れた製品が提供される。
【符号の説明】
【００３７】１：多機能状筒状複合帯体、筒状の本体
２：帯体
３：縫い目
４：リングの内表
５：リングの外表
６：紐
７：チューブ
８：頭
９：首
１０：子供
１１：ネックウォーマー
１２：襟巻
１３：ヘアバンド或いはイヤウォーマー
１４：帽子
１５：子供抱っこ帯
１６：ストッパー
１８：一重使用状態
１９：二重使用状態
【図１】
0003192937.tif 000003
【図２】
0003192937.tif 000004
【図３】
0003192937.tif 000005
【図４】
0003192937.tif 000006
【図５】
0003192937.tif 000007
【図６】
0003192937.tif 000008